(57)【要約】【課題】接続したケーブルを取り外す解体作業が短時間で容易に行うことができるケーブル分岐接続部を提供する。【解決手段】ケース２と、一端がケース２に取り外し可能に取り付けられてケーブル１が嵌通するケーブル保護管２１を備え、ケーブル１は、ケーブル保護管２１を嵌通し、ケーブル保護管２１の端部で防水可能に固定されているケーブル分岐接続部において、ケーブル保護管２１は、一端がケース２に取り外し可能に取り付けられた第１保護管２２と、第１保護管２２の他端に一端が取り外し可能に取り付けられ、他端がケーブル１に防水可能に固定された第２保護管２３とからなり、第１保護管２２は、ケース２と第２保護管２３から取り外されると、第２保護管２３の方向に移動可能になっている。【選択図】        図１
2004222335.tif 000002
【特許請求の範囲】
【請求項１】
ケースと、前記ケース内に収容されたケーブル導体が着脱自在に接続されている導体接続部と、一端が前記ケースに取り外し可能に取り付けられ、他端がケーブル外周に防水処理されて固定されたケーブル保護管を備えたケーブル接続部において、
前記ケーブル保護管は第１保護管と第２保護管とからなり、前記第１保護管は一端が前記ケースに取り外し可能に取り付けられると共に、他端が前記第２保護管の一端に取り外し可能に取り付けられており、前記第２保護管の他端はケーブル外周に防水処理されて固定されており、前記第１保護管は前記第２保護管の方向に移動可能であることを特徴とするケーブル接続部。
【発明の詳細な説明】
【０００１】
【発明の属する技術分野】
本発明は、ケーブル接続部に関し、特に解体が容易な電力ケーブルの接続部に関する。
【０００２】
【従来の技術】
従来、電力ケーブルの分岐接続部では、事故時に解体して事故相のケーブルを分離する必要がある。そのため、分岐接続部のケーブル導体接続部は、ケーブル導体を引き抜くことにより容易に分離できる構造になっている。
【０００３】
従来の電力ケーブルの分岐接続部は、例えば図２に示すような構造をしている（特許文献１参照。）。図２について、要部の概略を説明する。
この分岐接続部は、一本のケーブル１が２本のケーブル１に接続しているＹ分岐接続構造をしている。
ケース２は本体２ａ、絶縁筒２ｂ、端板２ｃとからなる。端板２ｃにはケーブル１が嵌通するケーブル保護管３が取り外し可能に取り付けられている。
ケース２の本体２ａ内側には絶縁成形物４が固定され、絶縁成形物４はケース２に取り付けられた端板５で覆われている。ケーブル導体接続部は、絶縁成形物４内に包埋支持された導体接続子６と、接続スリーブ７を介して導体接続子６に着脱自在に接続している３本のケーブル導体１ａで構成されている。
ケーブル１は、ストレスコーン９とケーブル保護管３を嵌通し、露出した絶縁層１ｂがケース２の端板２ｃに取り付けられた押圧手段８によりストレスコーン９で押圧されている。１０は、ケーブル保護管３の端部とケーブル１との間を防水して固定する防水処理部である。この防水処理部１０は、粘着ビニルテープや粘着合成ゴムテープなどを張力を加えながら巻き付け、密着させたものである。
【０００４】
上述の分岐接続部において、例えば分岐されている右上のケーブル１の一本を取り外す際には、先ず、防水処理部１０を破壊して、ケーブル保護管３の端部とケーブル１を分離する。次いで、保護管３をケース２の端板２ｃから外してケーブル１の右方向にずらす。次いで、端板２ｃとずらした保護管３の隙間を利用して押圧手段８を端板２ｃから外して、押圧手段８およびストレスコーン９を絶縁層１ｂ上を右方向に移動させる。その後、ケーブル１を引っ張り、ケーブル導体１ａを導体接続子６から外す。
【０００５】
【特許文献１】特開平１１−２６６５２２号公報
【０００６】
【発明が解決しようとする課題】
上述の分岐接続部の解体では、先ず防水処理部１０を破壊するが、この破壊は簡単ではなく、労力と長い時間を要し、ケーブル１の事故時にはケーブル１を交換して速やかに復旧することが困難であるという問題があった。
本発明は、上述した問題に鑑み、短時間で容易に解体して、ケーブルを取り外すことができるケーブル接続部を提供することを目的とする。
【０００７】
【課題を解決するための手段】
本発明は上記目的を達成するためになされたもので、ケースと、前記ケース内に収容されたケーブル導体が着脱自在に接続されている導体接続部と、一端が前記ケースに取り外し可能に取り付けられ、他端がケーブル外周に防水処理されて固定されたケーブル保護管を備えたケーブル接続部において、前記ケーブル保護管は第１保護管と第２保護管とからなり、前記第１保護管は一端が前記ケースに取り外し可能に取り付けられると共に、他端が前記第２保護管の一端に取り外し可能に取り付けられており、前記第２保護管の他端はケーブル外周に防水処理されて固定されており、前記第１保護管は前記第２保護管の方向に移動可能であることを特徴とするものである。
【０００８】
本発明によれば、第１保護管は第２保護管の方向に移動可能になっている。したがって、解体してケーブルを取り外す際には、第１保護管をケースと第２保護管から取り外し、次いで第１保護管を第２保護管の方向に移動して、ケースと第２保護管の間に間隙を設け、この間隙を利用して作業を行い、第２保護管をケーブル外周に固定したままの状態でケーブルを引き抜くことができる。
上述のように、本発明によれば、第２保護管をケーブル外周に固定したままの状態でケーブルを引き抜き、解体することができるので、第２保護管の端部が破壊困難な防水処理手段でケーブル外周に固定されていても、この防水処理部を壊すことなく、容易に解体することができる。
【０００９】
【発明の実施の形態】
以下、図面に基づいて本発明の実施の形態を詳細に説明する。
図１は、本発明にかかるケーブル分岐接続部の一実施形態の要部断面図である。なお、図１において、図２に関して説明した部分と同部分は同符号で指示し、詳細な説明は省略する。また、本実施形態は、図２に示したものと同様に、３本のケーブル１をＹ分岐接続したもので、図１には、そのうちの一本のケーブルの接続構造を示している。
【００１０】
図１において、ケース２は本体２ａ、絶縁筒２ｂ、端板２ｃからなり、本体２ａ内に絶縁成形物４が固定されている。
ケーブル１の接続端部の露出したケーブル導体１ａは、絶縁成形物４内に包埋支持された導体接続子６に接続スリーブ７を介して着脱自在に接続している。また、ケーブル１の露出した絶縁層１ｂは、端板２ｃに取り付けられた押圧手段８により押圧されたストレスコーン９を嵌通し、またケーブル保護管２１を嵌通している。さらに、ケーブル１の外周は、ケーブル保護管２１の端部の防水処理部１０で防水処理されて固定されている。この防水処理部１０は、ガラステープとエポキシレジンで固め、さらに粘着ビニルテープや粘着合成ゴムテープなどを張力を加えながら巻き付け、密着させたものである。この防水処理部１０のエポキシレジンで固めた部分は、解体する場合には特に時間を要する。
【００１１】
ケーブル１が嵌通するケーブル保護管２１は、導体接続部を収容するケース２の端板２ｃに一端が取り付けられた第１保護管２２と、一端が前記第１保護管２２にとりつけられ、他端がケーブル１に防水処理されて固定された第２保護管２３とからなる。
【００１２】
第１保護管２２は、一端に設けられたフランジ２２ａで端板２ｃに取り外し可能にネジで固定されている。また、第１保護管２２は、他端に設けられたフランジ２２ｂで第２保護管２３のフランジ２３ａの内側に取り外し可能にネジで固定されている。なお、第２保護管２３の第１保護管２２よりの内径は、第１保護管２２のフランジ２２ｂの外径はよりも大きくなっている。
したがって、第１保護管２２の端板２ｃおよび第２保護管２３との止めネジを外すことにより、第１保護管２２を第２保護管２３内で防水処理部１０の方向（図１では右方向）に移動させることができる。
【００１３】
なお、第１保護管２２と第２保護管２３の組立は、以下のようにして行う。即ち、
１）先ず、フランジ２２ｂの設けられていない第１保護管２２と、該第１保護管２２のフランジ２２ｂとなるリング状円板と、フランジ２３ａが設けられていない第２保護管２３と、該第２保護管２３のフランジ２３ａとなるリング状円板を用意する。
２）次ぎに、フランジ２２ｂの設けられていない第１保護管２２の胴体部に、第２保護管２３のフランジ２３ａとなるリング状円板を嵌め込んだ後、第１保護管２２の胴体部にリング状円板を溶接してフランジ２２ｂを設ける。
３）次いで、フランジ２３ａの設けられていない第２保護管２３内に第１保護管２２のフランジ２２ｂを挿入した後、第１保護管２２に予め嵌めておいたリング状円板を第２保護管２３に溶接してフランジ２３ａを設ける。
４）次いで、フランジ２２ｂとフランジ２３ａをネジ止めする。
【００１４】
本実施形態が従来例と異なる特徴的なことは、ケーブル保護管２１が、ケース２に取り外し可能に取り付けられた第１保護管２２と、一端が前記第１保護管２２に取り外し可能にとりつけられ、他端がケーブル１に防水処理されて固定された第２保護管２３とから構成され、第１保護管２２が第２保護管２３内を防水処理部１０の方向に移動可能になっていることである。
したがって、第１保護管２２および第２保護管２３の形状を適切に設定すると、第１保護管２２の第２保護管２３内における移動可能距離を十分に大きくすることができる。
【００１５】
本実施形態において、解体してケーブル１を取り外す作業は以下のように行う。即ち、
１）先ず、第１保護管２２とケース２の端板２ｃとのネジ止めおよび第１保護管２２と第２保護管２３とのネジ止めを外し、第１保護管２２を第２保護管２３内で防水処理部１０の方向（図１では右方向）に移動し、ケース２と第２保護管２３との間に十分な距離の隙間を設ける。
２）次いで、前記隙間を利用して押圧手段８をケース２から外す。
３）次いで、前記隙間から治具を用いてストレスコーン９を右方向に引き抜き、次いでケーブル１を第２保護管２３を取り付けたままの状態で引き抜く。
【００１６】
上述のように、本実施形態によれば、解体してケーブル１を取り外す際に、ケーブル１を第２保護管２３を取り付けたままの状態で引き抜くので、ケーブル１と第２保護管２３を固定する防水処理部１０を破壊する必要はない。したがって、防水処理部１０が破壊困難な構造をしていても、作業性よく解体してケーブル１を取り外すことができる。
【００１７】
なお、前記実施形態においては、分岐接続部について説明したが、本発明は直線接続部にも適用可能である。また、第１保護管２２は長手方向に複数に分割してもよい。さらに、第１保護管２２と第２保護管２３の取り付け構造は、上記実施形態に限定されることはなく、例えば第１保護管２２が第２保護管２３の外側を移動するようにしてもよい。
【００１８】
【発明の効果】
以上説明したように本発明によれば、保護管とケーブルの防水処理部を破壊すりることなく解体することができるので、解体作業が短時間で容易に行うことができるという優れた効果がある。
【図面の簡単な説明】
【図１】本発明にかかるケーブル分岐接続部の一実施形態の要部断面図である。
【図２】従来の電力ケーブルの分岐接続部の断面図である。
【符号の説明】
１                        ケーブル
１ａ                      ケーブル導体
１ｂ                      絶縁層
２                        ケース
２ａ                      本体
２ｂ                      絶縁筒
２ｃ                      端板
４                        絶縁成形物
６                        導体接続子
７                        接続スリーブ
８                        押圧手段
９                        ストレスコーン
１０                        防水処理部
２１                        ケーブル保護管
２２                        第１保護管
２２ａ、２２ｂ、２３ａ      フランジ
２３                        第２保護管
【図１】
2004222335.tif 000003
【図２】
2004222335.tif 000004